(57)【要約】【課題】動画像再生時に再生中の店内機器の履歴データを手間なく突合させることを課題とする。【解決手段】カメラＴ／Ｃ３００では、動画像再生時に再生中の店内機器の号機番号及び再生時刻を取得し、取得した号機番号及び再生時刻を含む履歴データの呼出し通知を管理装置１００に行い、呼出し通知の応答として得られた履歴データを所定の表示部に表示させる。また、管理装置１００では、号機番号及び時刻情報に対応付けて該店内機器に関する履歴データを記憶しておき、カメラＴ／Ｃ３００から呼出し通知された号機番号及び再生時刻に対応する履歴データを抽出し、抽出した履歴データをカメラＴ／Ｃ３００に応答する。【選択図】図１
2010227441.tif 000002
【特許請求の範囲】
【請求項１】
遊技店に配設される店内機器と、前記店内機器に接続されるとともに該店内機器の管理を行う管理装置と、１つまたは複数の店内機器とその周辺を撮像可能に設けられた撮像装置に接続されるとともに各撮像装置によって撮像された動画像を格納する画像管理装置とを有する遊技場管理システムであって、
前記画像管理装置は、
前記動画像の再生時に再生中の店内機器の店内機器識別子及び再生時刻を取得する取得手段と、
前記取得手段によって取得された店内機器識別子及び再生時刻を含む履歴データの呼出し通知を前記管理装置に行う呼出し通知手段と、
前記呼出し通知の応答として得られた履歴データを所定の表示部に表示させる表示制御手段とを有し、
前記管理装置は、
店内機器識別子及び時刻情報に対応付けて該店内機器に関する履歴データを記憶する履歴データ記憶手段と、
前記呼出し通知手段によって呼出し通知された店内機器識別子及び再生時刻に対応する履歴データを前記履歴データ記憶手段から抽出する履歴データ抽出手段と、
前記履歴データ抽出手段によって抽出された履歴データを前記画像管理装置に応答する履歴データ応答手段とを有する
ことを特徴とする遊技場管理システム。
【請求項２】
前記履歴データ抽出手段は、前記呼出し通知手段によって呼出し通知された店内機器識別子に対応する履歴データのうち、再生時刻を基準とした前後の所定区間に含まれる複数の履歴データを抽出し、
前記履歴データ応答手段は、前記履歴データ抽出手段によって前記前後の所定区間で抽出された複数の履歴データを前記画像管理装置に応答することを特徴とする請求項１に記載の遊技場管理システム。
【請求項３】
前記表示制御手段は、前記履歴データ応答手段によって応答された履歴データに同一の管理装置が送信元である複数の履歴データが含まれる場合に、複数の履歴データのうち前記動画像の再生時刻の履歴データもしくは再生時刻以前の履歴データであって最も再生時刻に近い履歴データを表示させることを特徴とする請求項１に記載の遊技場管理システム。
【請求項４】
前記表示制御手段は、前記複数の履歴データのうち１つの履歴データを表示させた後に、時間経過により前記動画像の再生時刻が他の履歴データに対応する時刻に至った場合には、前記表示部に表示させる履歴データを更新することを特徴とする請求項２に記載の遊技場管理システム。
【請求項５】
前記呼出し通知手段は、異なる種別の履歴データを管理する複数の管理装置を対象に前記履歴データの呼出し通知を行い、
前記表示制御手段は、複数の管理装置がそれぞれ有する履歴データ応答手段によって応答された各種別の履歴データを前記表示部に表示させることを特徴とする請求項１に記載の遊技場管理システム。
【請求項６】
遊技店に配設される店内機器と、前記店内機器に接続されるとともに該店内機器の管理を行う管理装置と、１つまたは複数の店内機器とその周辺を撮像可能に設けられた撮像装置に接続されるとともに各撮像装置によって撮像された動画像を格納する画像管理装置とを有する遊技場管理システムに適用する遊技場管理方法であって、
前記画像管理装置が、
前記動画像の再生時に再生中の店内機器の店内機器識別子及び再生時刻を取得する取得工程と、
前記取得工程によって取得された店内機器識別子及び再生時刻を含む履歴データの呼出し通知を前記管理装置に行う呼出し通知工程と、
前記呼出し通知の応答として得られた履歴データを所定の表示部に表示させる表示制御工程とを含み、
前記管理装置が、
店内機器識別子及び時刻情報に対応付けて該店内機器に関する履歴データを記憶する履歴データ記憶手段から、前記呼出し通知工程によって呼出し通知された店内機器識別子及び再生時刻に対応する履歴データを抽出する履歴データ抽出工程と、
前記履歴データ抽出工程によって抽出された履歴データを前記画像管理装置に応答する履歴データ応答工程とを含んだ
ことを特徴とする遊技場管理方法。
【発明の詳細な説明】
【技術分野】
【０００１】
本発明は、遊技店に配設される店内機器と、店内機器に接続されるとともに該店内機器の管理を行う管理装置と、１つまたは複数の店内機器とその周辺を撮像可能に設けられた撮像装置に接続されるとともに各撮像装置によって撮像された動画像を格納する画像管理装置とを有する遊技場管理システム及び遊技場管理方法に関する。
【背景技術】
【０００２】
従来より、パチンコ遊技やパチスロ遊技を提供する遊技店は、不正ゴトや盗難などの不正行為にさらされている。例えば、体感器を用いて遊技機で特賞を不正に誘発したり、貨幣の代わりに異物を挿入して台間機から不正に遊技媒体を投出させたり、計数機で熊手等を用いて計数センサに計数値を不正にカウントアップさせたりする不正ゴト、さらには、有価価値が価値付けられたプリペイドカード等の遊技用記録媒体を本来の持ち主が離席している間に抜き取る窃盗などの不正行為が係員の監視の目を盗んで行われる。
【０００３】
このような不正行為の証拠を押さえたり、不正者を特定するために、遊技機、台間機や計数機などの各種店内機器を利用する遊技客を撮像可能に撮像装置を配置し、この撮像装置によって撮像された画像を蓄積しておき、蓄積しておいた画像の中から不正発生時の画像を検索・表示させる技術が考案されている（例えば、特許文献１参照）。
【先行技術文献】
【特許文献】
【０００４】
【特許文献１】特開２００５−１１０７８８号公報
【発明の概要】
【発明が解決しようとする課題】
【０００５】
しがしながら、上述した従来技術では、クレーム内容の対象となる場面が撮像された画像または不正発生時の画像を再生したとしても、クレーム内容の妥当性または不正行為を特定するのに重要な部分が撮像されないように不正者が意図的に妨害したり、意図的ではなくとも通行人が撮像範囲を横切ったりなど、映像からだけではクレーム内容の妥当性または不正行為を確認できないケースも多く存在する。
【０００６】
このような場合には、目的の場面が含まれる動画像を再生しながらその動画像に含まれる店内機器の履歴データを見比べる他に術はないが、そのためには、店内機器から収集した履歴データを各種のシステムで個別に管理する管理装置に対し、目的の履歴データが得られるまで検索操作を繰り返し行う必要があり、多大な手間がかかるという問題もある。
【０００７】
そして、履歴データを検索する際には、遊技店の従業員または遊技客によって申告された場所や時刻、或いは動画像の再生時刻から目測される時刻などを参考にしながら検索条件を入力し、膨大な履歴データから目的の履歴データを検索する必要があるが、これら申告内容及び目測時刻が必ずしも正しいとは限らないため、再生動画像と履歴データの突合せにミスが生じ、遊技客からのクレームに反証できなかったり、不正行為を看過してしまう事態が起こるおそれもある。
【０００８】
そこで、本発明は、上述した従来技術による課題（問題点）を解消するためになされたものであり、動画像再生時に映像と履歴データを手間なく突合させることができる遊技場管理システム及び遊技場管理方法を提供することを目的とする。
【課題を解決するための手段】
【０００９】
上述した課題を解決し、目的を達成するために、本発明に係る遊技場管理システムは、遊技店に配設される店内機器と、前記店内機器に接続されるとともに該店内機器の管理を行う管理装置と、１つまたは複数の店内機器とその周辺を撮像可能に設けられた撮像装置に接続されるとともに各撮像装置によって撮像された動画像を格納する画像管理装置とを有する遊技場管理システムであって、前記画像管理装置は、前記動画像の再生時に再生中の店内機器の店内機器識別子及び再生時刻を取得する取得手段と、前記取得手段によって取得された店内機器識別子及び再生時刻を含む履歴データの呼出し通知を前記管理装置に行う呼出し通知手段と、前記呼出し通知の応答として得られた履歴データを所定の表示部に表示させる表示制御手段とを有し、前記管理装置は、店内機器識別子及び時刻情報に対応付けて該店内機器に関する履歴データを記憶する履歴データ記憶手段と、前記呼出し通知手段によって呼出し通知された店内機器識別子及び再生時刻に対応する履歴データを前記履歴データ記憶手段から抽出する履歴データ抽出手段と、前記履歴データ抽出手段によって抽出された履歴データを前記画像管理装置に応答する履歴データ応答手段とを有することを特徴とする。
【００１０】
また、本発明に係る遊技場管理システムは、上記の発明において、前記履歴データ抽出手段は、前記呼出し通知手段によって呼出し通知された店内機器識別子に対応する履歴データのうち、再生時刻を基準とした前後の所定区間に含まれる複数の履歴データを抽出し、前記履歴データ応答手段は、前記履歴データ抽出手段によって前記前後の所定区間で抽出された複数の履歴データを前記画像管理装置に応答することを特徴とする。
【００１１】
また、本発明に係る遊技場管理システムは、上記の発明において、前記表示制御手段は、前記履歴データ応答手段によって応答された履歴データに同一の管理装置が送信元である複数の履歴データが含まれる場合に、複数の履歴データのうち前記動画像の再生時刻の履歴データもしくは再生時刻以前の履歴データであって最も再生時刻に近い履歴データを表示させることを特徴とする。
【００１２】
また、本発明に係る遊技場管理システムは、上記の発明において、前記表示制御手段は、前記複数の履歴データのうち１つの履歴データを表示させた後に、時間経過により前記動画像の再生時刻が他の履歴データに対応する時刻に至った場合には、前記表示部に表示させる履歴データを更新することを特徴とする。
【００１３】
また、本発明に係る遊技場管理システムは、上記の発明において、前記呼出し通知手段は、異なる種別の履歴データを管理する複数の管理装置を対象に前記履歴データの呼出し通知を行い、前記表示制御手段は、複数の管理装置がそれぞれ有する履歴データ応答手段によって応答された各種別の履歴データを前記表示部に表示させることを特徴とする。
【００１４】
また、本発明に係る遊技場管理方法は、遊技店に配設される店内機器と、前記店内機器に接続されるとともに該店内機器の管理を行う管理装置と、１つまたは複数の店内機器とその周辺を撮像可能に設けられた撮像装置に接続されるとともに各撮像装置によって撮像された動画像を格納する画像管理装置とを有する遊技場管理システムに適用する遊技場管理方法であって、前記画像管理装置が、前記動画像の再生時に再生中の店内機器の店内機器識別子及び再生時刻を取得する取得工程と、前記取得工程によって取得された店内機器識別子及び再生時刻を含む履歴データの呼出し通知を前記管理装置に行う呼出し通知工程と、前記呼出し通知の応答として得られた履歴データを所定の表示部に表示させる表示制御工程とを含み、前記管理装置が、店内機器識別子及び時刻情報に対応付けて該店内機器に関する履歴データを記憶する履歴データ記憶手段から、前記呼出し通知工程によって呼出し通知された店内機器識別子及び再生時刻に対応する履歴データを抽出する履歴データ抽出工程と、前記履歴データ抽出工程によって抽出された履歴データを前記画像管理装置に応答する履歴データ応答工程とを含んだことを特徴とする。
【発明の効果】
【００１５】
本発明によれば、動画像の再生時に再生中の店内機器の店内機器識別子及び再生時刻を取得し、取得した店内機器識別子及び再生時刻を含む履歴データの呼出し通知を管理装置に行い、呼出し通知の応答として得られた履歴データを所定の表示部に表示させるように画像管理装置を構成し、店内機器識別子及び時刻情報に対応付けて該店内機器に関する履歴データを記憶しておき、呼出し通知された店内機器識別子及び再生時刻に対応する履歴データを抽出し、抽出した履歴データを画像管理装置に応答するように管理装置を構成したので、再生中の店内機器に関する履歴データを自動的に呼び出して表示させることができ、目的の履歴データが得られるまで検索操作を繰り返し行う必要がなくなる結果、動画像再生時に映像と履歴データを手間なく突合させることが可能になるという効果を奏する。
【００１６】
また、本発明によれば、呼出し通知された店内機器識別子に対応する履歴データのうち、再生時刻を基準とした前後の所定区間に含まれる複数の履歴データを抽出し、前後の所定区間で抽出された複数の履歴データを画像管理装置に応答するように構成したので、表示中の履歴データが再生時刻にそぐわなくなった場合でも、画像管理装置が改めて履歴データを呼び出す必要がなくなる結果、画像管理装置と管理装置の間での通信頻度を低減させることが可能になるという効果を奏する。
【００１７】
また、本発明によれば、応答された履歴データに同一の管理装置が送信元である複数の履歴データが含まれる場合に、複数の履歴データのうち動画像の再生時刻の履歴データもしくは再生時刻以前の履歴データであって最も再生時刻に近い履歴データを表示させるように構成したので、再生中の動画像と履歴データの間の時間的なズレを最小限にすることができ、映像と履歴データを正確に突合させることが可能になるという効果を奏する。
【００１８】
また、本発明によれば、複数の履歴データのうち１つの履歴データを表示させた後に、時間経過により動画像の再生時刻が他の履歴データに対応する時刻に至った場合には、表示部に表示させる履歴データを更新するように構成したので、時間経過により表示中の履歴データが古くなったとしても動画像の再生時刻に追従して最新の履歴データを表示させることができ、複数の時点の履歴データを連結して履歴データに時間的な奥行を持たせて映像と突合させることが可能になるという効果を奏する。
【００１９】
また、本発明によれば、異なる種別の履歴データを管理する複数の管理装置を対象に履歴データの呼出し通知を行い、複数の管理装置によって応答された各種別の履歴データを表示部に表示させるように構成したので、再生動画像に併せて、遊技店に併存する各システムの履歴データを表示させることができ、映像に対して履歴データを多面的に突合できる結果、クレーム内容の妥当性あるいは不正行為の特定をより効果的に行うことが可能になるという効果を奏する。
【図面の簡単な説明】
【００２０】
【図１】図１は、本実施例に係る店内システムのシステム構成図である。
【図２】図２は、本実施例に係る履歴データの呼出しを説明するための説明図である。
【図３】図３は、本実施例に係る管理装置の構成を示す機能ブロック図である。
【図４】図４は、システム履歴テーブルに記憶される情報の構成例を示す図である。
【図５】図５は、本実施例に係るカメラＴ／Ｃの構成を示す機能ブロック図である。
【図６】図６は、動画管理テーブルに記憶される情報の構成例を示す図である。
【図７】図７は、再生動画像とともに表示される履歴データの一例を示す図である。
【図８】図８は、本実施例に係るカメラＴ／Ｃ及び管理装置間の制御シーケンスを示す図である。
【図９】図９は、本発明の変形例を説明するための説明図である。
【発明を実施するための形態】
【００２１】
以下に添付図面を参照して、本発明に係る遊技場管理システム及び遊技場管理方法の好適な実施例を詳細に説明する。なお、以下では、本発明をパチンコ遊技に適用する場合について説明することとする。
【実施例】
【００２２】
まず、本実施例に係る遊技店の店内システムのシステム構成について説明する。図１は、本実施例に係る店内システムのシステム構成図である。
【００２３】
同図に示すように、遊技店には、パチンコ機１０と、ＣＲユニット２０と、島コントローラ３０と、玉計数機４０と、景品管理装置５０と、景品払出機６０と、会員管理Ｔ／Ｃ７０と、カードＴ／Ｃ８０と、Ｈ／Ｃ９０と、カメラＴ／Ｃ３００と、カメラ２００とが設けられている。
【００２４】
パチンコ機１０は、パチンコ玉を遊技領域に発射して遊技者がパチンコ遊技を行う装置であり、本実施例では、プリペイドカード対応のいわゆるＣＲパチンコ機であるものとしている。
【００２５】
ＣＲユニット２０は、カードＴ／Ｃ８０と各パチンコ機１０との間に介在し、カードＴ／Ｃ８０に対して一般カードや会員カードの残金額（以下、「プリペイド残額」と言う）の問い合わせやプリペイド残額の減算要求を行うとともに、プリペイド残額がある場合にパチンコ機１０に対して玉貸し指示を行う装置である。
【００２６】
また、ＣＲユニット２０は、会員管理Ｔ／Ｃ７０に預け入れられた貯玉を引き落とすいわゆる再プレイの機能を有する。具体的には、会員がＣＲユニット２０に会員カードを挿入して所定の再プレイ操作を行うと、会員管理Ｔ／Ｃ７０が記憶管理する貯玉残高から再プレイ分の玉数を減算するように依頼するとともにその再プレイ分の玉数を投出する。
【００２７】
島コントローラ３０は、周囲を通路に囲まれたスペース（遊技島）に設けられた一群のパチンコ機１０及びＣＲユニット２０を束ねる中継装置である。
【００２８】
玉計数機４０は、遊技客が獲得したパチンコ玉を計数する計数機であり、その計数結果を関連付けた計数レシートを発行するレシート発行の機能を有する。具体的には、遊技客または従業員によって投入されたパチンコ玉を計数し、その投入玉の計数値、発行日時、担当者（従業員）及び計数機号機が紐付けられた計数ＩＤをバーコード印刷した計数レシートを発行する。なお、ここでは、計数機能とレシート発行機能を併せて有する計数機を例示したが、これらの機能は計数機とレシート発行機とを別々に設けることとしてもかまわない。
【００２９】
また、玉計数機４０は、登録済み会員によって計数された計数値の一部または全部を貯玉加算するいわゆる計数貯玉の機能を有する。具体的には、計数終了後に遊技店の従業員が遊技客から受け取った会員カードをカード挿入口に挿入すると、会員番号及び計数値を含む計数貯玉依頼が会員管理Ｔ／Ｃ７０に送信される。なお、この計数貯玉依頼を受け付けた会員管理Ｔ／Ｃ７０によって会員番号に対応する貯玉残高に計数値が加算される。
【００３０】
景品管理装置５０は、遊技店内の景品交換カウンタに配設された景品交換用の端末装置である。具体的には、景品カウンタ内の従業員が、玉計数機４０により発行された計数レシートを遊技客から受け取ると、この計数レシートのバーコードリーダへの読取操作を通じて計数情報を取得するとともに、遊技客により指定された景品に対応する交換ボタンを押下し、当該景品に相当する交換玉数を計数値（獲得玉）から減算する交換制御を実行させ、その後に従業員による手作業で遊技客に受け渡す。また、遊技客が特殊景品への交換を希望する場合には、従業員はこの景品管理装置５０に設けられた特殊景品交換ボタンを押下し、計数値に応じた特殊景品の払い出しを景品払出機６０に指示する。
【００３１】
また、景品管理装置５０は、会員によって保有される貯玉と引き換えに景品との交換を制御する機能を有する。具体的には、会員カードに記録された会員番号がカードリーダへの読取操作を介して読み取られると、当該会員番号に対応する貯玉残高を会員管理Ｔ／Ｃ７０に問い合わせ、その問合せ応答として得られた貯玉残高の範囲内で、計数レシートと同様に一般景品もしくは特殊景品との交換制御を行い、交換分の玉数を貯玉残高から減算するように会員管理Ｔ／Ｃ７０に依頼する。
【００３２】
会員管理Ｔ／Ｃ７０は、図示しない会員管理テーブルを用いて遊技店に登録された会員の統括管理を行う管理装置である。この会員管理テーブルは、会員番号に貯玉残高及び属性情報を対応付けて記憶している。そして、玉計数機４０又は景品管理装置５０から貯玉加算依頼を受け付けたならば該当する貯玉口座内の貯玉数を加算処理し、ＣＲユニット２０又は景品管理装置５０から貯玉減算依頼を受け付けたならば該当する貯玉口座内の貯玉数を減算処理する。
【００３３】
カードＴ／Ｃ８０は、図示しないプリペイド残額管理テーブルを用いて一般カード及び会員カードの残額管理を行う管理装置である。このプリペイド残額管理テーブルは、一般カードまたは会員カードに記録されるカードＩＤにプリペイド残額を対応付けて記憶している。そして、ＣＲユニット２０から価値付け依頼（残額加算依頼）を受け付けた場合には、該価値付け依頼に含まれるカードＩＤのプリペイド残額を加算処理し、また、ＣＲユニット２０から残額減算依頼を受け付けた場合には、該残額減算依頼に含まれるカードＩＤのプリペイド残額を減算処理する。
【００３４】
Ｈ／Ｃ９０は、図示しない台データ管理テーブルを用いて各パチンコ機１０の台データの管理を行うホールコンピュータである。この台データ管理テーブルは、パチンコ機１０の号機番号にアウト数、セーフ数、特賞回数やスタート回数などの台データを対応付けて記憶している。これらの台データは、各パチンコ機１０でアウト、セーフ、特賞またはスタートが発生する度に収集され、該台データ管理テーブルに登録される。なお、アウトとは、遊技台に打ち込まれたパチンコ玉を指し、セーフとは、遊技台から賞玉として投出されたパチンコ玉を指し、特賞とは、遊技台における大当りを指し、また、スタートとは、遊技台で単位ゲームを開始する事象を指す。
【００３５】
このように、遊技店には、会員カードを取り扱うＣＲユニット２０、玉計数機４０や景品管理装置５０などの店内機器とこれらの店内機器を管理する会員管理Ｔ／Ｃ７０とを含んで構成される会員システム、そして、会員カード及び一般カードを取り扱うＣＲユニット２０やその他図示しないカード精算機などの店内機器とカードＴ／Ｃ８０を含んで構成されるカードシステム、さらには、遊技台の台データを取り扱うパチンコ機１０、ＣＲユニット２０や玉計数機４０などの店内機器とＨ／Ｃ９０とを含んで構成されるホールコンシステムが併存している。
【００３６】
これら３つのシステムでは、会員管理Ｔ／Ｃ７０、カードＴ／Ｃ８０及びＨ／Ｃ９０等の管理装置１００で各々のシステムに所属する店内機器の履歴データを収集し、該収集した履歴データを後述するシステム履歴テーブル１２１に登録して管理する。なお、履歴データの収集・管理については、会員管理Ｔ／Ｃ７０、カードＴ／Ｃ８０及びＨ／Ｃ９０の間で同様であることから、以下ではこれらの装置を総称して管理装置１００として説明を行う。
【００３７】
さらに、遊技店には、遊技場の監視を目的としたシステムとして、各店内機器を撮像するカメラ２００と、カメラ２００によって撮像された画像を格納するカメラＴ／Ｃ３００とを含んで構成されるカメラシステムが設けられている。
【００３８】
この遊技場とは、遊技客が立ち入り可能な場所を指す。また、遊技店には、遊技場とは別に遊技客の立ち入りを禁止した事務所が設けられており、遊技店の機密に関わる情報を管理する会員管理Ｔ／Ｃ７０、カードＴ／Ｃ８０やＨ／Ｃ９０などの管理装置１００、カメラＴ／Ｃ３００は遊技場ではなく事務所に配設される。
【００３９】
このカメラ２００は、店内機器及びその周辺を撮像可能に設けられた撮像デバイスであり、図１の例では、パチンコ機１０及びＣＲユニット２０のペア、玉計数機４０、景品管理装置５０及び景品払出機６０のペアなどの店内機器または店内機器の組合せに対応して１つ設置される。このカメラ２００によって撮像された画像は、各カメラに予め付与されたカメラＩＤとともに送信され、カメラＴ／Ｃ３００によって店内機器別に格納される。
【００４０】
カメラＴ／Ｃ３００は、カメラ２００によって撮像される動画像を格納するサーバ装置である。具体的には、後述する動画管理テーブル３４１で撮像日付、カメラ２００のカメラＩＤ、該カメラ２００が撮像する店内機器の号機番号及び動画像の格納先が対応付けて管理されており、カメラ２００からカメラＩＤ及び撮像画像を受信した場合に、当該カメラＩＤに対応する号機番号の格納先に撮像画像を蓄積していく。なお、カメラＴ／Ｃ３００に格納された動画は、自装置または他装置からの指示に基づきカメラＴ／Ｃ３００の出力部や管理装置１００の出力部で再生することができる。
【００４１】
ここで、本実施例では、動画像の再生時に再生中の店内機器の号機番号及び再生時刻を取得し、取得した号機番号及び再生時刻を含む履歴データの呼出し通知を管理装置１００に行い、呼出し通知の応答として得られた履歴データを表示部に表示させるようにカメラＴ／Ｃ３００を構成し、号機番号及び時刻情報に対応付けて該店内機器に関する履歴データを記憶しておき、呼出し通知された号機番号及び再生時刻に対応する履歴データを抽出し、抽出した履歴データをカメラＴ／Ｃ３００に応答するように管理装置１００を構成した。
【００４２】
すなわち、本実施例では、再生動画像に映し出されている店内機器の号機番号及び再生時刻を用いて、会員管理Ｔ／Ｃ７０、カードＴ／Ｃ８０及びＨ／Ｃ９０等の管理装置１００によって収集・管理される履歴データの中から再生中の店内機器に関する履歴データを呼び出す仕組みにその特徴がある。
【００４３】
これを図２を用いて具体的に説明すると、カメラＴ／Ｃ３００では、動画像再生時に履歴データの呼出し操作を受け付けると（１）、再生中の店内機器の号機番号及び再生時刻を取得し、該取得した号機番号及び再生時刻を会員管理Ｔ／Ｃ７０、カードＴ／Ｃ８０及びＨ／Ｃ９０などの管理装置１００に通知することにより、履歴データの呼出し通知を行う（２）。
【００４４】
一方、会員管理Ｔ／Ｃ７０では、号機番号及び時刻情報ごとに会員システムに所属する店内機器に関する履歴データを管理する会員システム履歴テーブル１２１ａから、当該呼出し通知に含まれる号機番号及び再生時刻に対応する履歴データを抽出し（３）−１、該抽出した会員システムの履歴データをカメラＴ／Ｃ３００に応答する（４）−１。
【００４５】
また、カードＴ／Ｃ８０では、号機番号及び時刻情報ごとにカードシステムに所属する店内機器に関する履歴データを管理するカードシステム履歴テーブル１２１ｂから、当該呼出し通知に含まれる号機番号及び再生時刻に対応する履歴データを抽出し（３）−２、該抽出したカードシステムの履歴データをカメラＴ／Ｃ３００に応答する（４）−２。
【００４６】
さらに、Ｈ／Ｃ９０では、号機番号及び時刻情報ごとにホールコンシステムに所属する店内機器に関する履歴データを管理するホールコンシステム履歴テーブル１２１ｃから、当該呼出し通知に含まれる号機番号及び再生時刻に対応する履歴データを抽出し（３）−３、該抽出したホールコンシステムの履歴データをカメラＴ／Ｃ３００に応答する（４）−３。
【００４７】
これらの管理装置１００から履歴データの応答を得たカメラＴ／Ｃ３００では、再生中の動画像とともに、会員システム、カードシステム及びホールコンシステムから得られた履歴データを表示する（５）。
【００４８】
このカメラＴ／Ｃ３００では、各システムの管理装置１００から得られた履歴データを表示する際に、動画像を再生する表示部と同一の表示部または他装置の表示部の画面上に全てのシステムの履歴データを併せて表示することもできるし、一部のシステムの履歴データだけを表示することもできる。また、再生中の動画像の一部と重なるように履歴データを表示させたり、動画像と完全に重複しないように履歴データを表示させたりすることもできる。
【００４９】
したがって、本実施例では、再生中の店内機器に関する履歴データを自動的に呼び出して表示させることができ、目的の履歴データが得られるまで検索操作を繰り返し行う必要がなくなる結果、動画像再生時に映像と履歴データを手間なく突合させることが可能になる。
【００５０】
また、本実施例では、カメラＴ／Ｃ３００側での履歴データの呼出し操作に応答して管理装置１００からカメラＴ／Ｃ３００に履歴データを通知させるので、カメラＴ／Ｃ３００側で履歴データの呼出し操作等の操作行為を集約して行わせることができ、管理装置１００側での履歴データの検索操作、管理装置１００とカメラＴ／Ｃ３００の間の往復移動、ひいては個別の管理装置１００での履歴データの検索操作を不要化することができる。
【００５１】
さらに、本実施例では、再生中の店内機器に関する履歴データを自動的に呼び出して表示させるので、管理装置１００側で履歴データを検索し、その検索結果を印字出力する必要がなくなる結果、紙媒体等の資源消費の低減（ペーパーレス）を実現できる。
【００５２】
また、本実施例では、異なる種別の履歴データを管理する複数の管理装置１００を対象に履歴データの呼出し通知を行い、複数の管理装置１００によって応答された各種別の履歴データを表示部に表示させるので、再生動画像に併せて、遊技店に併存する会員システム、カードシステムやホールコンシステム等の各システムの履歴データを表示させることができ、映像に対して履歴データを多面的に突合できる結果、クレーム内容の妥当性あるいは不正行為の特定をより効果的に行うことができる。
【００５３】
続いて、本実施例に係る遊技場管理システムを構成する各装置の構成を説明する。なお、ここでは、各システムの会員管理Ｔ／Ｃ７０、カードＴ／Ｃ８０及びＨ／Ｃ９０を管理装置１００と見立て、この管理装置１００とカメラシステムの中心となるカメラＴ／Ｃ１００との構成を詳細に説明する。
【００５４】
（１）管理装置の構成
前述したように、ここでは、本実施例に係る管理装置１００の構成について説明する。この管理装置１００は、各システムの上位装置である会員管理Ｔ／Ｃ７０、カードＴ／Ｃ８０またはＨ／Ｃ９０に相当し、各々のシステム所属の店内機器の履歴データを収集し、該収集した履歴データを管理する構成は３者の間で共通することから、各システムの共通部分についてはまとめて説明することとする。
【００５５】
図３は、本実施例に係る管理装置の構成を示す機能ブロック図である。同図に示すように、管理装置１００は、通信Ｉ／Ｆ部１１０と、記憶部１２０と、制御部１３０とを有する。なお、実際の会員管理Ｔ／Ｃ７０、カードＴ／Ｃ８０やＨ／Ｃ９０では、図示した機能部以外の機能部、すなわち各のシステム特有の機能を有するが、図３では、本実施例に係る管理装置の特徴を説明するために必要な構成要素のみを抜粋している。
【００５６】
通信Ｉ／Ｆ部１１０は、ＣＲユニット２０、島コントローラ３０、玉計数機４０や景品管理装置５０等の店内機器、自装置以外の管理装置１００、カメラＴ／Ｃ３００との間でデータ通信を行うためのインタフェースである。
【００５７】
記憶部１２０は、ハードディスク装置や不揮発性メモリ等の記憶デバイスであり、たとえばシステムに所属する店内機器の履歴データを管理するシステム履歴テーブル１２１を記憶する。
【００５８】
このシステム履歴テーブル１２１としては、会員管理Ｔ／Ｃ７０の場合には会員システム履歴テーブル１２１ａが記憶され、カードＴ／Ｃ８０の場合にはカードシステム履歴テーブル１２１ｂが記憶され、また、Ｈ／Ｃ９０の場合にはホールコンシステム履歴テーブル１２１ｃが記憶される。
【００５９】
会員システム履歴テーブル１２１ａは、図４（ａ）に示すように、号機番号ごとに所属システム、イベント種別、時刻、会員ＩＤ、取引高、取引後残額、取引後貯玉残高などを記憶したテーブルである。
【００６０】
この図４（ａ）の例では、会員ＩＤ「０３６２６」の会員が１２時５分に３５００円のプリペイド残額が関連付けられた会員カードを号機番号「Ｐ０１２３」のＣＲユニット２０に挿入し、１２時８分には玉貸し操作を行って５００円分のパチンコ玉を借り受けて取引後のプリペイド残額が３０００円になったことを示している。
【００６１】
なお、ここでは、号機番号をキーとしてテーブル管理を行う場合について説明したが、会員ＩＤをキーにテーブル管理を行ってもよく、少なくともテーブルに号機番号と時刻が含まれていればテーブル構成は如何なる構成であってもかまわない。
【００６２】
カードシステム履歴テーブル１２１ｂは、図４（ｂ）に示すように、号機番号ごとに所属システム、イベント種別、時刻、カードＩＤ、取引高、取引後残額などを記憶したテーブルである。
【００６３】
この図４（ｂ）の例では、号機番号「Ｐ０１２３」のＣＲユニット２０で１０時２分に１０００円の入金が行われてカードＩＤ「１４６２３」の一般カードに１０００円のプリペイド残額が価値付けられ、１０時１３分には玉貸し操作を行って５００円分のパチンコ玉を借り受けて取引後のプリペイド残額が５００円になり、１０時２２分にはその一般カードを返却し、１１時１６分には新たに１００００円の入金が行われてカードＩＤ「１２３８９」の一般カードに１００００円のプリペイド残額が価値付けられたことを示している。
【００６４】
また、ここでも、号機番号をキーとしてテーブル管理を行う場合について説明したが、カードＩＤをキーにテーブル管理を行ってもよく、少なくともテーブルに号機番号と時刻が含まれていればテーブル構成は如何なる構成であってもよい。
【００６５】
ホールコンシステム履歴テーブル１２１ｃは、図４（ｃ）に示すように、号機番号ごとに所属システム、イベント種別、時刻、スタート回数、アウト、セーフなどを記憶したテーブルである。
【００６６】
この図４（ｃ）の例では、号機番号「Ｐ０１２３」のＣＲユニット２０で１０時１３分に５００円の売り上げがあり、その後、１０時１５分にスタートが通知された時点でスタート回数が１５回、アウトが２００個、セーフが４５個、売上が５００円になり、また、１０時２２分にアウトが通知された時点でスタート回数が２１回、アウトが２５０個、セーフが６３個、売上が５００円になったことを示している。
【００６７】
なお、ここでは、ホールコンシステム特有の遊技台データとして、スタート回数、アウト、セーフ、売上等の項目を例示したが、実際にはその他の項目（例えば、特賞回数、差玉数や貸し玉数など）を有している。
【００６８】
また、上記のシステム履歴テーブル１２１として例示した３つのシステムのテーブルでは、号機番号「Ｐ０１２３」のＣＲユニット２０の履歴データを例示したが、他の号機番号のＣＲユニット２０の履歴データが格納されているのは勿論のこと、ＣＲユニット２０のみならず、各システムに対応した店内機器（例えば、玉計数機４０や景品管理装置５０など）の履歴データが格納されている。
【００６９】
制御部１３０は、管理装置１００を全体制御する制御部であり、履歴データ収集部１３１と、履歴データ抽出部１３２と、履歴データ応答部１３３とを有する。実際には、これらの機能部に対応するプログラムを図示しないＲＯＭや不揮発性メモリに記憶しておき、これらのプログラムをＣＰＵにロードして実行し、履歴データ収集部１３１、履歴データ抽出部１３２及び履歴データ応答部１３３にそれぞれ対応するプロセスを実行させることになる。
【００７０】
履歴データ収集部１３１は、所属システムの店内機器から履歴データを収集する処理部である。具体的には、店内機器でイベントが発生した場合に、その店内機器の号機番号、イベント種別、時刻、取引高、その他システム履歴テーブル１２１に登録が必要な項目に関する情報を通知させることにより履歴データを収集し、該収集した履歴データをシステム履歴テーブル１２１に登録する。
【００７１】
履歴データ抽出部１３２は、後述するカメラＴ／Ｃ３００の履歴データ呼出し部３５３によって呼出し通知された号機番号及び再生時刻に対応する履歴データをシステム履歴テーブル１２１から抽出する処理部である。
【００７２】
例えば、号機番号「Ｐ０１２３」及び再生時刻「１０時１５分」の履歴データが呼出し通知されたとした時、履歴データ抽出部１３２は、号機番号「Ｐ０１２３」を含み、かつ再生時刻「１０時１５分」を基準とした前の区間１０分間及び後の区間１０分間に含まれることを抽出条件としてシステム履歴テーブル１２１を検索する。
【００７３】
ここで、会員管理Ｔ／Ｃ７０の場合には、図４（ａ）に示すように、上記の抽出条件を満たす履歴データが会員システム履歴テーブル１２１ａに格納されていないので、会員システム履歴テーブル１２１ａからは履歴データは抽出されない。
【００７４】
一方、カードＴ／Ｃ８０の場合には、図４（ｂ）に示すように、号機番号「Ｐ０１２３」の１０時１３分から１０時２２分までの履歴データ（図４（ｂ）のハッチング部分）をカードシステム履歴テーブル１２１ｂから抽出する。
【００７５】
また、Ｈ／Ｃ９０の場合には、図４（ｃ）に示すように、号機番号「Ｐ０１２３」の１０時１３分から１０時２２分までの履歴データ（図４（ｃ）のハッチング部分）をホールコンシステム履歴テーブル１２１ｃから抽出する。
【００７６】
このように、履歴データ抽出部１３２は、履歴データ呼出し部３５３によって呼出し通知された号機番号に対応する履歴データのうち、再生時刻を基準とした前後の所定区間（本例では、１０分間）に含まれる履歴データを抽出する。なお、再生時刻以前に遡る区間及び再生時刻から後に進む区間の長さは、同一であっても、再生されている店内機器の種別や閑散期または繁忙期の時間帯によって任意に変更してもよい。
【００７７】
つまり、履歴データ抽出部１３２では、カメラＴ／Ｃ３００において時間経過に伴って動画像の再生が進んだり、再生時刻を遡って再生する操作が行われるなどが原因で、表示中の履歴データが再生時刻にそぐわなくなった場合でも、改めてカメラＴ／Ｃ３００が履歴データを呼び出さずともよくなるように、一定区間の履歴データを予め送信しておくこととした。
【００７８】
履歴データ応答部１３３は、履歴データ抽出部１３２によって抽出された履歴データをカメラＴ／Ｃ３００に応答する処理部である。上述した例を踏襲すれば、会員管理Ｔ／Ｃ７０の場合には、該当の履歴データが存在しない旨を応答し、カードＴ／Ｃ８０の場合には、号機番号「Ｐ０１２３」の１０時１３分から１０時２２分までの履歴データ（図４（ｂ）のハッチング部分）を応答し、また、Ｈ／Ｃ９０の場合には、号機番号「Ｐ０１２３」の１０時１３分から１０時２２分までの履歴データ（図４（ｃ）のハッチング部分）を応答する。
【００７９】
（２）カメラＴ／Ｃの構成
次に、本実施例に係るカメラＴ／Ｃについて説明する。図５は、本実施例に係るカメラＴ／Ｃの構成を示す機能ブロック図である。なお、実際のカメラＴ／Ｃ３００では、図示した機能部以外の機能部を有するが、図５では、本実施例に係るカメラＴ／Ｃ３００の特徴を説明するために必要な構成要素のみを抜粋している。
【００８０】
同図に示すように、カメラＴ／Ｃ３００は、入力部３１０と、出力部３２０と、通信Ｉ／Ｆ部３３０と、記憶部３４０と、制御部３５０とを有する。
【００８１】
入力部３１０は、キーボードやマウスの他、押下式、スライド式やダイヤル式などのハードスイッチを含むユーザインタフェースである。なお、ハードスイッチやその近辺には、その役割を示す文字列が付されており、たとえば履歴データの呼出し操作を受け付けるボタンには「履歴呼出し」といった文字列が付される。
【００８２】
出力部３２０は、液晶パネルやディスプレイ等の表示デバイス及びスピーカ等の音声デバイスであり、また、通信Ｉ／Ｆ部３３０は、ＣＲユニット２０、島コントローラ３０、玉計数機４０、景品管理装置５０及び管理装置１００との間でデータ通信を行うためのインタフェースである。
【００８３】
記憶部３４０は、ハードディスク装置や不揮発性メモリ等の記憶デバイスであり、たとえば記憶部３４０内に格納される動画ファイルを管理する動画管理テーブル３４１と、各カメラ２００によって撮像された動画データの群である動画ファイル群３４２とを併せて記憶する。
【００８４】
動画管理テーブル３４１は、図６に示すように、撮像日付、カメラ２００のカメラＩＤ、そのカメラ２００が撮像する店内機器の号機番号及び動画像の格納先を示すパス名を記憶したテーブルである。図６に示す例では、９月２日に撮像された動画ファイルの管理情報の一例を示しており、最上部のレコードでは、カメラＩＤ「００００１」のカメラ２００によって号機番号「Ｐ０００１」のＣＲユニット２０及びそのペアのパチンコ機１０の周辺領域が撮像されるとともにその動画ファイルがパス１のアドレスに格納されていることを示している。なお、号機番号の頭文字は、店内機器の種別を示しており、Ｐが付与されているものはＣＲユニットを示し、Ｂが付与されているものは計数機を示し、Ｊが付与されているものは景品管理装置を示すものとしている。
【００８５】
動画ファイル群３４２には、撮像日付ごとの動画像のデータであって被撮像対象の店内機器の号機番号ごとの動画ファイルの群である。例えば、図６に示した最上部のレコードを例に挙げれば、カメラＩＤ「００００１」のカメラ２００が号機番号「Ｐ０００１」のＣＲユニット２０及びそのペアのパチンコ機１０の周辺領域を撮像範囲に収め、９月２日の開店処理から閉店処理まで継続して撮像した動画データであり、記憶部３４０内のパス１のアドレスにＭＰＥＧ等の圧縮方式で圧縮された動画ファイルとして記憶されている。
【００８６】
制御部３５０は、カメラＴ／Ｃ３００を全体制御する制御部であり、動画格納部３５１と、動画像再生処理部３５２と、履歴データ呼出し部３５３と、表示制御部３５４とを有する。実際には、これらの機能部に対応するプログラムを図示しないＲＯＭや不揮発性メモリに記憶しておき、これらのプログラムをＣＰＵにロードして実行し、動画格納部３５１、動画像再生処理部３５２、履歴データ呼出し部３５３及び表示制御部３５４にそれぞれ対応するプロセスを実行させることになる。
【００８７】
動画格納部３５１は、動画管理テーブル３４１を用いて、カメラ２００によって撮像される動画像を記憶部３４０内に格納する処理部である。具体的には、カメラ２００から動画像及びカメラＩＤを受信した場合に、動画管理テーブル３４１を参照して該当撮像日付及び該当カメラＩＤに対応付けて記憶されたパス名を特定し、該特定したパス名に対応する記憶部３４０の格納先に動画像を格納することにより動画を逐次蓄積していく。
【００８８】
動画像再生処理部３５２は、記憶部３４０内に格納された動画ファイルを再生する処理部である。具体的には、再生対象とする動画ファイルの撮像日付および店内機器の号機番号の指定を入力部３１０を介して受け付け、該受け付けた撮像日付及び号機番号に対応する動画ファイルの格納先を動画管理テーブル３４１を用いて特定し、該特定した動画ファイルを最初から再生するか、或いは再生開始時刻の指定を受け付けてその指定時刻から動画ファイルを出力部３２０で再生させる。
【００８９】
履歴データ呼出し部３５３は、管理装置１００に対して履歴データの呼出しを行う処理部である。具体的には、動画像の再生中に入力部３１０を介して履歴データの呼出し操作を受け付けると、動画像再生処理部３５２に要請して再生中の動画ファイルに紐付けられている号機番号と動画像の再生時刻を取得し、該取得した号機番号および再生時刻を会員管理Ｔ／Ｃ７０、カードＴ／Ｃ８０及びＨ／Ｃ９０などの管理装置１００に通知することにより、履歴データの呼出し通知を行う。
【００９０】
なお、ここでは、動画像の再生中に履歴データの呼出し操作を受け付けた場合に呼出し通知を行う場合を例示したが、動画像再生処理部３５２によって動画像の再生が開始されるタイミングと同期して呼出し通知を行ってもよく、また、１度再生した動画像の再生区間の履歴を保持しておき、保持した再生区間に含まれる再生時刻から動画像を再生する再生時刻の指定操作がカーソル位置で再生時刻を指定可能なＧＵＩ等を用いてなされた場合など、任意のタイミングで呼出し通知を行うことができる。
【００９１】
表示制御部３５４は、出力部３２０の表示制御を行う処理部である。具体的には、会員管理Ｔ／Ｃ７０、カードＴ／Ｃ８０及びＨ／Ｃ９０から呼出し通知の応答として得られた履歴データの中に再生時刻に該当する履歴データが存在する場合には、当該再生時刻の履歴データを再生動画像とともに出力部３２０に表示させ、また、再生時刻に該当する履歴データが存在しない場合には、再生時刻以前の履歴データであって最も再生時刻に近い履歴データを表示させる。
【００９２】
例えば、図４で説明した履歴データを呼出し通知の応答として受け付けたとした時、カードＴ／Ｃ７０からの応答には、再生時刻「１０時１５分」に該当する履歴データが存在しないので、それ以前の履歴データであり、かつ直近の履歴データである１０時１３分の履歴データのうち、表示対象として予め設定されている項目、たとえばプリペイド残額「５００円」及び一般カードの受付状態「挿入中」を表示用データとして生成する。
【００９３】
一方、Ｈ／Ｃ９０からの応答には、再生時刻「１０時１５分」に該当する履歴データが存在するので、当該再生時刻「１０時１５分」の履歴データのうち、表示対象として予め設定されている項目、たとえばスタート回数「１５回転」、アウト「２００玉」及びセーフ「４５玉」を表示用データとして生成する。
【００９４】
また、会員管理Ｔ／Ｃ７０からは、該当の履歴データが存在しない旨が応答されているので、表示対象として設定されている項目、たとえば会員カードの受付状態「なし」を表示用データとして生成する。
【００９５】
表示制御部３５４は、図７に示すように、表示用データとして生成したスタート回数「１５回転」、アウト「２００玉」、セーフ「４５玉」、プリペイド残額「５００円」、一般カードの受付状態「挿入中」、会員カードの受付状態「なし」を再生中の動画像とともに出力部３２０に表示させる。この図７の例では、映像と履歴データを区分けして表示する場合を例示しているが、再生中の動画像の一部と重なるように履歴データを表示させることもできる。
【００９６】
なお、ここでは、スタート回数、アウト、セーフ、プリペイド残額、一般カードの受付状態や会員カードの受付状態などの項目が表示対象の項目として設定されている場合について説明したが、管理装置１００から応答として得た履歴データの全ての項目をそのまま表示させることとしてもよいし、履歴データ表示後に表示対象の項目を改めて選択させることもできる。
【００９７】
また、表示制御部３５４は、複数の履歴データのうち１つの履歴データを表示させた後に、時間経過により動画像の再生時刻が他の履歴データに対応する時刻に至った場合には、前記表示部に表示させる履歴データを更新する。
【００９８】
例えば、図４及び図７の例において１０時１５分であった再生時刻が１０時２２分になった場合には、カードＴ／Ｃ８０及びＨ／Ｃ９０からの応答として得られた１０時２２分の履歴データが最新の履歴データとなるので、カードシステム及びホールコンシステムの１０時２２分の履歴データから、スタート回数「２１回転」、アウト「２５０玉」、セーフ「６３玉」、プリペイド残額「―――円」、一般カードの受付状態「排出検知」及び会員カードの受付状態「なし」を含む表示データを新たに生成して再生動画像とともに出力部３２０で表示させる。
【００９９】
これによって、時間経過により表示中の履歴データが古くなったとしても動画像の再生時刻に追従して最新の履歴データを表示させることができ、複数の時点の履歴データを連結して履歴データに時間的な奥行を持たせて映像と突合させることが可能になる。
【０１００】
次に、本実施例に係る遊技場管理システムの処理の流れを説明する。図８は、本実施例に係るカメラＴ／Ｃ及び管理装置間の制御シーケンスを示す図である。なお、ここでは、動画像の再生中に履歴データの呼出し操作を受け付けた場合に処理を開始する場合を例示するが、履歴データ呼出し部３５３で説明したように任意のタイミングで処理を開始することができる。
【０１０１】
図８に示すように、カメラＴ／Ｃ３００では、動画像再生中は履歴データの呼出し操作の待機状態にあり、動画像の再生中に入力部３１０を介して履歴データの呼出し操作を受け付けると（ステップＳ１０１）、履歴データ呼出し部３５３は、動画像再生処理部３５２に要請して再生中の動画ファイルに紐付けられている号機番号と動画像の再生時刻を取得する（ステップＳ１０２）。
【０１０２】
そして、履歴データ呼出し部３５３は、このようにして取得した号機番号および再生時刻を会員管理Ｔ／Ｃ７０、カードＴ／Ｃ８０及びＨ／Ｃ９０などの管理装置１００に通知することにより、履歴データの呼出し通知を行う（ステップＳ１０３）。
【０１０３】
一方、管理装置１００の履歴データ抽出部１３２は、カメラＴ／Ｃ３００の履歴データ呼出し部３５３によって呼出し通知された号機番号及び再生時刻に対応する履歴データをシステム履歴テーブル１２１から抽出し（ステップＳ１０４）、履歴データ応答部１３３は、履歴データ抽出部１３２によって抽出された履歴データをカメラＴ／Ｃ３００に応答する（ステップＳ１０５）。
【０１０４】
その後、カメラＴ／Ｃ３００の表示制御部３５４は、会員管理Ｔ／Ｃ７０、カードＴ／Ｃ８０及びＨ／Ｃ９０などの管理装置１００の履歴データ応答部１３３によってそれぞれ応答された履歴データを再生中の動画像とともに出力部３２０で表示させ（ステップＳ１０６）、処理を終了する。
【０１０５】
上述してきたように、本実施例によれば、動画像再生時に再生中の店内機器の号機番号及び再生時刻を取得し、取得した号機番号及び再生時刻を含む履歴データの呼出し通知を管理装置１００に行い、呼出し通知の応答として得られた履歴データを出力部３２０に表示させるようにカメラＴ／Ｃ３００を構成し、号機番号及び時刻情報に対応付けて該店内機器に関する履歴データを記憶しておき、呼出し通知された号機番号及び再生時刻に対応する履歴データを抽出し、抽出した履歴データをカメラＴ／Ｃ３００に応答するように管理装置１００を構成したので、再生中の店内機器に関する履歴データを自動的に呼び出して表示させることができ、目的の履歴データが得られるまで検索操作を繰り返し行う必要がなくなる結果、動画像再生時に映像と履歴データを手間なく突合させることが可能である。
【０１０６】
また、本実施例によれば、呼出し通知の応答として得た履歴データの中に同一の管理装置１００が送信元である複数の履歴データが含まれる場合に、複数の履歴データのうち動画像の再生時刻の履歴データもしくは再生時刻以前の履歴データであって最も再生時刻に近い履歴データを表示させるように構成したので、再生中の動画像と履歴データの間の時間的なズレを最小限にすることができ、映像と履歴データを正確に突合させることが可能になる。
【０１０７】
さらに、本実施例によれば、呼出し通知された号機番号に対応する履歴データのうち、再生時刻を基準とした前後の所定区間に含まれる複数の履歴データを抽出し、前後の所定区間で抽出された複数の履歴を管理装置に応答するように構成したので、表示中の履歴データが再生時刻にそぐわなくなった場合でも、カメラＴ／Ｃ３００が改めて履歴データを呼び出す必要がなくなる結果、カメラＴ／Ｃ３００と管理装置１００の間での通信頻度を低減させることが可能である。
【０１０８】
また、上記の実施例では、図４及び図７を用いてＣＲユニット２０の履歴データを呼び出す場合について説明したが、本発明はこれに限定されるものではなく、玉計数機４０や景品管理装置５０などの他の店内機器の履歴データを呼び出すことができるのは言うまでもない。この場合には、ＣＲユニット２０の場合とはイベント種別が相違することから、管理装置１００のシステム履歴テーブル１２１に記憶管理される履歴データの項目も異なり、再生動画像とともに表示される履歴データも異なるものになる。
【０１０９】
例えば、玉計数機４０の履歴データを呼び出すこととした場合には、玉計数機４０特有のイベント種別として計数が存在し、この計数時にはシャッタ異常、従業員認証なしなどのエラーイベントが発生することから、かかるエラーイベントが再生時刻またはその近傍で発生していた場合には、図９に示すような履歴データを再生動画像とともに表示させることができる。
【０１１０】
また、上記の実施例では、再生中の動画ファイルに紐付けられている店内機器を対象に履歴データを呼び出すこととしたが、必ずしも１つの店内機器の履歴データに呼出し対象または履歴データの抽出対象を限定する必要はなく、呼出し対象または履歴データの抽出対象を任意に拡張することもできる。
【０１１１】
例えば、ＣＲユニット２０の号機番号ごとに当該号機番号と配置関連度が高い他のＣＲユニット２０の号機番号を対応付けて配置関連度テーブルとして記憶しておき、カメラＴ／Ｃ３００から呼出し通知を受け付けた場合に、システム履歴テーブル１２１に加えて配置関連度テーブルを参照して、当該呼出し通知に含まれる号機番号とその号機番号に対応付けて記憶されている号機番号の履歴データであり、かつ再生時刻を基準とした所定区間に含まれる履歴データをシステム履歴テーブル１２１から抽出し、カメラＴ／Ｃ３００に応答する。
【０１１２】
この配置関連度が高い号機番号としては、同一の遊技島及び／又はその背面の遊技島に属するＣＲユニット２０の号機番号を設定しておいてもよいし、左右に隣接するＣＲユニット２０の号機番号を所定台数設定しておいてもよいし、背面に位置するＣＲユニット２０及びそれに隣接するＣＲユニット２０の号機番号を所定数設定しておいてもよい。また、ＣＲユニット２０に併設されるパチンコ機１０の機種が同一である号機番号の全部または一部を設定しておくこともできる。
【０１１３】
このように応答された履歴データのうち、再生中の動画ファイルに紐付けられている店内機器の履歴データであって再生時刻に対応する履歴データを出力部３２０に表示させるとともに配置関連度が高い号機番号の履歴データを選択可能に表示させておき、他の号機番号の履歴データが選択された場合には、当該選択された履歴データを表示させるとともにそれに対応する動画像を再生させる。
【０１１４】
これによって、不正者が再生時刻の前後にその周辺場所でも不正ゴトを行っていた場合に、芋づる式に不正を発見することが可能になる。なお、ここでは、履歴データの抽出時に配置関連度テーブルを用いる例を説明したが、履歴データの呼出し時に配置関連度テーブルを参照させて、再生中の動画ファイルに紐付けられている店内機器の号機番号及びその号機番号と配置関連度の高い号機番号を含めて呼出し通知を行うこととしてもよい。
【０１１５】
また、上記の実施例では、動画像の再生中に履歴データの呼出し操作を受け付けた場合に呼出し通知を行う場合を例示したが、動画像の再生中は所定の周期（例えば、１０秒）ごとに呼出し通知を繰り返し行い、動画像の再生時刻に対応する履歴データを定常的に表示させるようにしてもよい。
【０１１６】
さらに、上記の実施例では、各システムのシステム履歴テーブル１２１に記憶された履歴データをネットワーク通信を介して取得することとしたが、可搬記録媒体などを経由して、カメラＴ／Ｃ３００への履歴データの通知を可能とし、各システムとカメラシステムのインタフェース接続を不要化してもよい。
【０１１７】
また、上記の実施例では、カメラＴ／Ｃ３００で動画像の再生及び履歴データの表示を行うこととしたが、カメラＴ／Ｃ３００と外部装置とをネットワーク接続することにより、遊技店外からでも外部装置を介して動画像および履歴データを閲覧できるようにしてもかまわない。
【０１１８】
また、上記の実施例では、１つの店内機器につき１台のカメラを設置する例を説明したが、本発明はこれに限定されるものではなく、複数の店内機器及びその周辺領域の撮像を１台のカメラに兼務させるようにしてもかまわない。この場合には、イベントが発生している店内機器を撮像範囲に収めるカメラ２００に対して、当該店内機器を拡大して撮像したり、焦点を合わせたりなどの撮像制御を行うのが好ましい。
【０１１９】
また、上記の実施例では、特に言及していないが、管理装置１００の計時部の時刻と、カメラＴ／Ｃ３００の計時部の時刻とがズレた場合には、カメラＴ／Ｃ３００で再生動画像に対応する履歴データを閲覧することができなくなるので、管理装置１００及びカメラＴ／Ｃ３００の時刻合わせを定期的に行うことが好ましい。
【０１２０】
なお、上記の実施例では、本発明をパチンコ遊技に適用する例を説明したが、パチスロ遊技を対象としてさらに含めた場合又はパチスロ遊技のみを対象とした場合にも本発明を同様に適用することができる。なお、ここでは、パチンコ店に本発明を適用する例を説明したが、本発明はこれに限定されるものではなく、ゲームセンタ等の遊技施設にも同様に適用することができる。
【産業上の利用可能性】
【０１２１】
以上のように、本発明に係る遊技場管理システム及び遊技場管理方法は、動画像再生時に映像と履歴データを手間なく突合させる場合に適している。
【符号の説明】
【０１２２】
１０    パチンコ機
２０    ＣＲユニット
３０    島コントローラ
４０    玉計数機
５０    景品管理装置
６０    景品払出機
７０    会員管理Ｔ／Ｃ
８０    カードＴ／Ｃ
９０    Ｈ／Ｃ
１００    管理装置
１１０    通信Ｉ／Ｆ部
１２０    記憶部
１２１    システム履歴テーブル
１２１ａ  会員システム履歴テーブル
１２１ｂ  カードシステム履歴テーブル
１２１ｃ  ホールコンシステム履歴テーブル
１３０    制御部
１３１    履歴データ収集部
１３２    履歴データ抽出部
１３３    履歴データ応答部
２００    カメラ
３００    カメラＴ／Ｃ
３１０    入力部
３２０    出力部
３３０    通信Ｉ／Ｆ部
３４０    記憶部
３４１    動画管理テーブル
３４２    動画ファイル群
３５０    制御部
３５１    動画格納部
３５２    動画像再生処理部
３５３    履歴データ呼出し部
３５４    表示制御部
【図１】
2010227441.tif 000003
【図２】
2010227441.tif 000004
【図３】
2010227441.tif 000005
【図４】
2010227441.tif 000006
【図５】
2010227441.tif 000007
【図６】
2010227441.tif 000008
【図７】
2010227441.tif 000009
【図８】
2010227441.tif 000010
【図９】
2010227441.tif 000011